(57)【特許請求の範囲】
【請求項１】
ディスク記録媒体の初期化の際に発見される初期欠陥を含む一次欠陥と、情報の記録直後の再生によって発見される二次欠陥を管理しながらディスク記録媒体に対する情報の記録、再生を行う情報記録再生装置であって、
前記ディスク記録媒体は第1の欠陥リストにより前記一次欠陥を管理し、第2の欠陥リストにより前記二次欠陥を管理するディスク記録媒体であり、
記録媒体に対しある転送レート以上で情報の記録、再生を要求する第１の情報と、記録媒体に対し記録情報の再生信頼性を要求する第２の情報に対し、
上記第１の情報に対しては一次欠陥領域に対するスキップを行いながら情報の記録を行い、更に、情報の記録直後の再生による二次欠陥領域の判定を行わずに情報の記録を行う第１の記録処理と、
上記第２の情報に対しては一次欠陥領域に対するスキップを行うと共に、前記第２の欠陥リストで管理される二次欠陥の領域に対するスキップを行い、更に、情報の記録直後の再生により二次欠陥領域を判定し、その領域に含まれる情報を交替領域へ再記録することで情報の記録を行う第２の記録処理それぞれを、
選択的に実行することを特徴とする情報記録再生装置。
【請求項２】
請求項１において、第１の記録処理、第２の記録処理それぞれに従った情報の記録を同一のディスク記録媒体に対して行うことを特徴とする情報記録再生装置。
【請求項３】
請求項１において第１の記録処理と第２の記録処理の選択の際に必要となる情報記録再生装置に対する転送命令は、少なくとも前記第１の記録処理の選択を指示する第１の記録命令と、前記第２の記録処理の選択を指示する第２の記録命令であることを特徴とする情報記録再生装置。
【請求項４】
請求項３における第１の記録命令は、伝送される情報が実時間上連続的に或いは、ある期間ごとに間欠的に伝送される伝送情報をディスク記録媒体への記録情報とする場合に生成されることを特徴とする情報記録再生装置。
【請求項５】
請求項４における伝送情報は、圧縮処理された映像、音声に対する伝送情報、或いはそれら含む情報を多重化した伝送情報であることを特徴とする情報記録再生装置。
【請求項６】
請求項３において第１の記録命令によってディスク記録媒体への情報の記録が行われた場合には、ディスク記録媒体の論理領域におけるファイルの管理テーブルを更新する際に、第１の記録命令によって発生したファイル対する管理情報に識別情報を与えることを特徴とする情報記録再生装置。
【請求項７】
請求項１において、第１の記録処理、または第２の記録処理は、一次欠陥領域と二次欠陥領域両方の欠陥領域に対するスキップを行いながら第１の情報、または第２の情報の記録を行うことを特徴とする情報記録再生装置。
【請求項８】
請求項７において、情報の記録後に、二次欠陥領域を一次欠陥領域として管理し直すことを特徴とする情報記録再生装置。
【請求項９】
ディスク記録媒体の初期化の際に発見される初期欠陥を含む一次欠陥と、情報の記録直後の再生によって発見される二次欠陥を管理しながら情報の記録、再生を行うディスク記録媒体に対する情報の記録方法であって、
前記ディスク記録媒体は第1の欠陥リストにより前記一次欠陥を管理し、第2の欠陥リストにより前記二次欠陥を管理するディスク記録媒体であり、
記録媒体に対しある転送レート以上で情報の記録、再生を要求する第１の情報と、記録媒体に対し記録情報の再生信頼性を要求する第２の情報に対し、
上記第１の情報に対しては一次欠陥領域に対するスキップを行いながら情報の記録を行い、更に、情報の記録直後の再生による二次欠陥領域の判定を行わずに情報の記録を行う第１の記録処理を行い、
上記第２の情報に対しては一次欠陥領域に対するスキップを行うと共に、前記第２の欠陥リストで管理される二次欠陥の領域に対するスキップを行い、更に、情報の記録直後の再生により二次欠陥領域を判定し、その領域に含まれる情報を交替領域へ再記録することで情報の記録を行う第２の記録処理を行い、
第１の記録処理、第２の記録処理それぞれの実行を指示する第１の記録命令、第２の記録命令に従い記録処理の選択を行うことで同一のディスク記録媒体に対する情報の記録を行うことを特徴とするディスク記録媒体に対する情報の記録方法。
【請求項１０】
請求項９において必要となる第１の記録命令は、前記第１の情報に相当し、伝送される情報が実時間上連続的に或いは、ある期間ごとに間欠的に伝送される伝送情報をディスク記録媒体への記録情報とする場合に生成されることを特徴とするディスク記録媒体に対する情報の記録方法。
【請求項１１】
請求項９において、第１の記録命令によってディスク記録媒体への情報の記録が行われた場合には、ディスク記録媒体の論理領域におけるファイルの管理テーブルを更新する際に、第１の記録処理により発生したファイルに対する管理情報に識別情報を与えることを特徴とするディスク記録媒体に対する情報の記録方法。
【請求項１２】
請求項１０において、第１の記録処理、または第２の記録処理は、一次欠陥領域と二次欠陥領域両方の欠陥領域に対するスキップを行いながら第１の情報、または第２の情報の記録を行うことを特徴とするディスク記録媒体に対する情報の記録方法。
【請求項１３】
請求項１２において、情報の記録後に、二次欠陥領域を一次欠陥領域として管理し直すことを特徴とするディスク記録媒体に対する情報の記録方法。
【請求項１４】
ディスク記録媒体の初期化の際に発見される初期欠陥を含む一次欠陥と、情報の記録直後の再生によって発見される二次欠陥を管理しながら情報の記録を行うディスク状の情報記録媒体であって、 
前記ディスク記録媒体は第1の欠陥リストにより前記一次欠陥を管理し、第2の欠陥リストにより前記二次欠陥を管理するディスク記録媒体であり、
記録媒体に対しある転送レート以上で情報の記録、再生を要求する第１の情報と、記録媒体に対し記録情報の再生信頼性を要求する第２の情報に対し、
上記第１の情報に対しては一次欠陥領域に対するスキップを行いながら情報の記録を行い、更に、情報の記録直後の再生による二次欠陥領域の判定を行わずに情報の記録を行う第１の記録処理を行い、
上記第２の情報に対しては一次欠陥領域に対するスキップを行うと共に、前記第２の欠陥リストで管理される二次欠陥の領域に対するスキップを行い、更に、情報の記録直後の再生により二次欠陥領域を判定し、その領域に含まれる情報を交替領域へ再記録することで情報の記録を行う第２の記録処理を行い、
第１の情報、第２の情報を同一の記録媒体上に記録したことを特徴とするディスク状の情報記録媒体。
【請求項１５】
請求項１４において、第１の情報に対する記録、または第２の情報に対する記録は、一次欠陥領域と二次欠陥領域両方の欠陥領域に対するスキップを行いながら第１の情報、または第２の情報の記録が行われたことを特徴とするディスク状の情報記録媒体。
【請求項１６】
請求項１５において、情報の記録後に、二次欠陥領域を一次欠陥領域として管理し直されたことを特徴とするディスク状の情報記録媒体。
【発明の詳細な説明】
【０００１】
【発明の属する技術分野】
本発明は、情報記録再生装置及び、記録方法、再生方法、情報記録媒体に関し、特に記録媒体の欠陥や傷、繰り返し書換え時の劣化時にデータの再生信頼性を保証する目的で行われる交替処理を実行する情報記録再生装置、記録方法、再生方法、情報記録媒体に関する。
【０００２】
【従来の技術】
記録媒体上に発生した欠陥領域を検出し、記録情報をその欠陥領域とは別の領域に再度記録する交替処理が行われるディスク記録媒体として磁気ディスクや光磁気ディスク、光ディスクが挙げられる。この様な交替処理が行われるディスク記録媒体の一例として例えばＤＶＤ−ＲＡＭ(ディジタル バーサタイル ディスク − ランダム アクセス メモリ)が挙げられる。このＤＶＤ−ＲＡＭについての交替処理、欠陥管理方法については「日経エレクトロニクス1997.10.20号（no.701）pp.168〜179」にその技術が記載されている。
【０００３】
上記公知例によれば、ディスク上の領域を複数のゾーンに分割し、更に各ゾーンは情報の記録を通常行うユーザー領域と、ディスク上に欠陥が生じた際の交替処理を行う際に利用されるスペア領域に分割される。ディスク上に発生する欠陥の種類についてはディスク初期化の際に発見される初期欠陥を含む一次欠陥と、ディスクへの記録終了後に記録した情報を再度読み取り正しい記録が行われたかを判定する、つまりベリファイを行った際に発見される二次欠陥とに分けられる。一次欠陥の発見はディスクの初期化を行う際に、例えばディスク上の記録領域を示すために設けられる物理アドレスを示すセクタＩＤの検出エラーによって一次欠陥のセクタと判断される。そのセクタＩＤに含まれる物理アドレスを一次欠陥リスト（ＰＤＬ：プライマリ ディフェクト リスト）に登録する。ディスクへの情報の記録時、再生時には、記録、再生中にこの一次欠陥リストに登録された物理アドレスに対するセクタに差し掛かった際には、そのセクタをスキップすることでそのセクタ対する情報の記録、再生を行わず、その一次欠陥セクタより後のセクタから情報の記録、再生を再開、継続する。二次欠陥についてはディスクへの情報を記録後に記録情報の再生信頼性を十分に確保する目的で再度再生を行うベリファイが行われることで発見される。上記ＤＶＤ−ＲＡＭの場合の二次欠陥の発見は、誤り訂正符号の付加され、再生時に行われる誤り訂正処理が完結する１６セクタ単位、つまり１訂正ブロック単位に対し誤り訂正符号の復号により一行あたりに含まれるエラーバイト数が一定の数を超える行を不良と判断し、不良と判断された行数が１セクタに含まれる不良行数或いは１訂正ブロックに含まれる不良行数がある閾値を超える場合はそのセクタ、或いは訂正ブロックそのものを二次欠陥として判断する。二次欠陥と判断されたセクタ或いは訂正ブロックは交替処理の対象となり、その欠陥と判断されたセクタが含まれる訂正ブロック、或いは欠陥と判断された訂正ブロックそのものをディスク上の各ゾーンに設けられたスペア領域に交替記録する。更に二次欠陥と判断された訂正ブロックに含まれる先頭セクタの物理アドレスと、交替処理によってスペア領域に記録された訂正ブロックに含まれる先頭セクタの物理アドレスを二次欠陥リスト（ＳＤＬ：セカンダリ ディフェクト リスト）に登録する。ディスク再生時には二次欠陥リストから二次欠陥の先頭セクタに差し掛かった際には再生を停止し、スペア領域に存在する交替先の物理アドレスに対する先頭セクタにアクセス、訂正ブロック分の再生を行い、二次欠陥として登録されている訂正ブロックの後に続くセクタより再生を再開、再生を継続する。なお一次欠陥リスト、二次欠陥リストについてはディスクの最内周、最外周の領域に記録領域が設けられており、情報の記録時に新たに欠陥セクタが発見される毎に最新の一次欠陥リスト、二次欠陥リストとして記録、更新される。
【０００４】
【発明が解決しようとする課題】
近年のディスク記録媒体の大容量化に伴い、ディスク記録媒体はコンピュータデータなどのデータ情報の他に、実時間上連続或いは間欠的に伝送される映像情報、音声情報、或いは圧縮処理を行い生成した圧縮映像情報、圧縮音声情報、或いはそれら圧縮映像、圧縮音声などをを時分割多重化することで生成したストリーム情報を記録する記録媒体として期待されている。データ情報については、コンピュータなど記録再生装置と接続される機器において処理されるプログラムデータや、ディスク上の記録済みの情報をファイルとして管理したり、未記録領域の管理を行うディスク管理情報、ディスク上に記録済みの情報に対しその再生方法、編集情報などを含む制御情報などが挙げられる。これらのデータ情報については、その情報量は少ないが情報の重要度としては非常に高い。例えばディスク管理情報はその再生ができない場合にはディスクに何が記録されているのかが不明となり記録情報の再生ができなくなるため情報の重要度は非常に高く、記録のたびに頻繁に更新、記録されるためそれらデータ情報の再生信頼性を十分に確保する必要がある。しかしながらデータ情報は一定時間に一定情報量を記録、或いは再生しなければならないという制限はない。
【０００５】
一方で映像、音声に代表されるストリーム情報については、その情報量は膨大でディジタル放送など実時間上で連続的に或いは間欠的に伝送される場合もある。ディスク記録媒体にこのような実時間上で連続的、或いは間欠的に伝送されるようなストリーム情報を記録する際には一定時間に一定情報量を記録或いは再生を行う、つまり転送レートの確保が非常に重要でありディスク記録媒体に要求される最大の条件である。つまり記録時にはストリーム情報の入力レートに対して十分な転送レートが要求され、再生時にはストリーム情報に要求される出力レートを維持可能な転送レートが要求される。一方で記録したストリーム情報の再生においては多少のエラーが発生しても記録の際に付加される誤り訂正符号の訂正能力範囲内であれば全く問題なく再生でき、訂正不能となっても例えば映像の場合、映像フレームの数フレームに渡りコマ落ちが生じる程度でスロー再生など特殊再生を除いて問題とならない。つまり情報の重要度としては低く、その再生信頼性はデータ情報を記録する場合に比較して低くしても構わないことになる。
【０００６】
しかしながら近年、ディスク記録媒体はその記録の対象が先に挙げたデータ情報とストリーム情報の両方であり、それぞれの記録情報の性質（情報の重要性の高低、転送レートの高低）によって記録方法、再生方法の制御を行う必要がある。データ情報とストリーム情報が同一のディスク記録媒体に記録される場合、その記録方法に例えば前記従来技術に挙げた二次欠陥に対する交替処理を行うことで再生信頼性を重視した情報の記録を行った場合には、ストリーム情報の伝送レートに対しディスク記録媒体のワースト転送レートが下回る可能性があるという問題がある。この場合ディスク記録媒体への情報の記録がストリーム情報の伝送に対して間に合わなくなり情報の途中が記録されないことになる。更に再生時にはストリーム情報に対する映像、音声が途切れることになる。特に従来技術に上げたＤＶＤ−ＲＡＭに対する記録再生装置は記録媒体上の情報を読み取るヘッドのシーク時間、ディスク記録媒体の回転制定時間が大きいため上記問題が頻繁に発生するものと予想される。またストリーム情報に対する転送レートに対してディスク記録媒体の転送レートが十分に上回る場合であってもストリーム情報の記録を行いながら別の記録済みのストリーム情報の再生を行うという同時記録再生を実行する場合や、高品位映像情報など更に伝送レートが高く、ディスク記録媒体に対する転送レートに近い情報の記録を行う場合にも上記した問題が頻繁に発生する。
【０００７】
逆に二次欠陥に対する交替処理を行わずに一次欠陥に対するスキップのみを行うことでディスク記録媒体の転送レート低下を防ぐような記録を行った場合には、例えばディスク上の同一領域に頻繁に書換えが行われデータ情報の再生信号に劣化が発生した場合や、データ情報を記録した領域にたまたま一次欠陥リストに登録されていない欠陥が発生した場合で、そのデータ情報の記録領域が誤り訂正符号の復号によっても訂正不能となった場合にはそのデータ情報は使えないことになる。例えば訂正不能となったデータ情報がディスク管理情報である場合はそのディスク記録媒体上で管理されるファイルに対する正常なアクセス、再生が不可能となる場合や、記録時に誤って別の記録情報に上書き記録され貴重な記録情報を失ったりすることから、使えないディスクとなってしまう。
【０００８】
更にディスク記録媒体に対する現状の記録再生装置については記録するデータ情報、ストリーム情報に関係なく一次欠陥に対するスキップ処理、二次欠陥に対する交替処理を行っている。そのため実時間上で連続的あるいは間欠的に伝送されるストリーム情報の記録には適していない。またＤＶＤ−ＲＡＭに代表される光ディスク、光磁気ディスクのようなリムーバブルなディスク記録媒体に対し、ディスク記録媒体の交換ができない固定的な磁気ディスクを利用した記録再生装置においても上記したストリーム情報、データ情報の記録、再生時には同様の問題が発生する。
【０００９】
よって本発明の目的は、上記した問題を解決する情報記録再生装置及び、記録再生方法、情報記録媒体を提供する。
【００１０】
【課題を解決するための手段】
本発明において上記問題点を解決するための情報記録再生装置とその記録方法はについては、ディスク記録媒体の初期化の際に発見される初期欠陥を含む一次欠陥と、情報の記録直後の再生によって発見される二次欠陥を管理しながらディスク記録媒体に対し一定期間にあるデータ量の情報の記録、再生を要求する第１の情報と、記録媒体に対し記録情報の再生信頼性を要求する第２の情報を記録する際には、第１の情報に対しては少なくとも一次欠陥領域に対するスキップを行いながら情報の記録を行う第１の記録処理と、第２の情報に対しては少なくとも一次欠陥領域に対するスキップを行うと共に、情報の記録直後
の再生により二次欠陥領域を判定、その領域に含まれる情報を交替領域へ再記録することで情報の記録を行う第２の記録処理それぞれを、記録命令に従い選択的に実行する情報記録再生装置を構成することで解決される。
【００１２】
更に情報記録再生装置において行われるディスク記録媒体への情報記録時における記録処理の選択については第１の記録処理の選択を指示する第１の記録命令と、第２の記録処理の選択を指示する第２の記録命令に従って選択が行われる。ディスク記録媒体からの情報再生時における再生処理の選択については第１の再生処理の選択を指示する第１の再生命令と、第２の再生処理の選択を指示する第２の再生命令に従って選択が行われる。
【００１３】
【発明の実施の形態】
以下、本発明について図面を用いて説明する。
【００１４】
図１は、本発明の情報記録再生装置及び、記録方法、再生方法、情報記録媒体の中で記録方法の一実施例を示すフローチャートであって、図２、図３はその記録方法が適用される記録再生装置の一構成例、図４は本発明の記録方法によって記録された書換えが可能な情報記録媒体の一実施例、図５は本発明の記録方法で記録された情報記録媒体の再生方法の一実施例を示すフローチャート、図６は図１の記録方法で記録された記録情報の再生信頼性を向上させると共に再生時の転送レート低下を防ぐ目的でディスク記録媒体に対する新たな情報の記録、再生を行わない間に行われる記録情報の並び替え方法の一実施例を示す図である。
【００１５】
まず、図２、図３に示す記録再生装置の一構成例について説明する。図２はホストコンピュータ、放送受信機などの外部接続装置に接続された記録再生装置の一構成例を示すブロック図であって、図において１は情報の書換えが可能なディスク記録媒体、２は１のディスク記録媒体上に記録情報の書込み、読取りを行うヘッド、３はヘッド２からの読取り信号を増幅するプリアンプ、４は記録時には記録情報に対し少なくとも誤り訂正符号の付加、変調処理、同期信号付加などディスク記録媒体１への記録に適したディジタル信号を生成し、再生時には増幅された読取り信号に対し少なくとも同期信号の検出、復調処理、誤り訂正符号の復号による誤り訂正処理を行い元の情報に復元するディジタル信号処理回路、５はディジタル信号処理回路４において行われる各処理の実行のために必要となるメモリ、６はディスク記録時、再生時に外部接続装置８との間でデータ転送を行い、外部接続装置８から転送される記録命令、再生命令などを含む転送命令を受信するインタフェース回路、７は記録再生装置全体の制御を行うシステムコントローラ、８は記録再生装置におけるインターフェイス回路６に対し転送命令や映像、音声ストリームなどの転送データのやり取りを行う外部接続装置である。インターフェイス回路６において受信される転送命令については、ディスク記録媒体１へ情報の記録を行う際には記録命令、ディスク記録媒体１から情報の再生を行う際には再生命令が含まれ、記録命令、再生命令の度にディスク記録媒体上のヘッド２のアクセス位置に対するアドレス情報と転送データ量（転送セクタ数）が含まれている。外部接続装置８からの転送データには映像、音声情報など実時間上で連続的に或いは間欠的に転送される圧縮ストリームデータや、それらに付随するデータなどが当てはまる。
【００１６】
図３はディスク記録媒体１に対する記録再生装置に入力映像、音声に対する圧縮処理、伸長処理を実行する回路を設けた場合の構成例を示すブロック図であって、図２のブロック図と同じ構成要素については同一の参照数字を付けそれらに対する説明を省略する。図３において９は実時間上で連続的に伝送される映像或いは音声情報に対し、実時間の圧縮を行い圧縮映像データ、圧縮音声データを多重化した圧縮ストリーム情報の生成を行う映像、音声圧縮回路、１０はディスク記録媒体１に記録された圧縮ストリーム情報に対して伸長処理を行い、元の映像、音声情報それぞれに戻し出力する映像、音声伸長回路、１１は映像、音声圧縮回路９からの圧縮ストリーム、外部からのデータ入力、外部からの圧縮ストリームそれぞれに対してディスク記録媒体１に記録する情報の選択を行うセレクタである。
【００１７】
更に図４でディスク記録媒体１の構造、領域分割、分割された領域に記録される記録情報についての一例を説明する。図４において（Ａ）はディスク記録媒体１の物理的な構造、領域分割とそれぞれの構成内容を示し、（Ｂ）は例えば図２における外部接続装置から見たディスク記録媒体１における論理的な領域分割、記録情報の構成を示している。図４（Ａ）においてはリードイン領域、データ領域、リードアウト領域それぞれの領域に大別され、リードイン領域についてはディスク識別情報などディスクの種類を示す情報を格納したディスク情報と、ディスク記録媒体の初期化の際に発見される初期欠陥を含む一次欠陥領域に対する物理アドレスを登録した一次欠陥リストと、ディスク記録媒体への情報記録後に行われるベリファイによって発見される二次欠陥領域に対する物理アドレスと、二次欠陥領域に含まれていた記録情報に対し交替処理を行った際の交替先の先頭物理アドレスそれぞれを登録した二次欠陥リストの記録領域であるＤＭＡ（ディフェクト マネージメント エリア）から少なくとも構成される。ここで一次欠陥領域については例えばディスク記録媒体上の記録単位であるセクタ単位で構成され、二次欠陥領域については誤り訂正処理の完結する訂正ブロック単位で構成される。更にリードアウト領域については、リードイン領域におけるＤＭＡと同じ一次欠陥リスト、二次欠陥リストが格納されるＤＭＡ領域から少なくとも構成される。更にリードイン領域、リードアウト領域の間の領域であって、ディスク記録媒体１への情報に対する記録領域であるデータ領域を構成する。データ領域は、更に一定間隔の複数のゾーンに分割されゾーン０からゾーンＮ（Ｎは正の整数）に分割される。各ゾーンは更にユーザ領域とスペア領域に分割され、ユーザー領域には情報に対する通常の記録領域であり、スペア領域については二次欠陥が発生した領域に対する交替処理を行うために確保されたり、一次欠陥の発見によって減少するユーザー領域を補うために確保される領域である。物理領域内の位置を特定する物理アドレスについてはリードイン領域の先頭からリードアウト領域の終了まで連続した物理アドレス番号が割り当てられ、記録再生装置はその物理アドレスの検出により記録、再生の際の開始位置、終了位置を特定する。
【００１８】
図４（Ｂ）に示す論理的な領域は、（Ａ）に示したデータ領域に対応し、データ領域の先頭から終了までの各ゾーンに含まれるユーザー領域で連続した論理領域を構成する。論理領域は少なくともボリューム記述子、管理テーブルなど物理領域内の記録情報を論理領域においてファイルとして扱い、管理するために必要な情報の格納領域と、記録した情報に対応するファイル、未記録領域で占められる。管理テーブルについては記録した情報に対するファイル名、階層構造、各ファイルのリンク情報（再生順番）、未記録領域に対応する論理アドレスのマップ情報が少なくとも格納されている。論理アドレスについては、例えば管理テーブルの先頭に対して論理アドレス０、論理領域の最終に対して論理アドレス（Ｌ−１）までが仮想的に連続して割り当てられる。例えばシステムコントローラー７に転送命令を設定する際には論理アドレスによって記録した情報に対するファイルの先頭、終了を特定し、ディスク管理情報から未記録領域の把握、記録情報に対するファイルについての情報を得ることで記録、再生命令を発生する。上記した物理領域と論理領域の対応については、例えば物理領域において一次欠陥が生じた領域（セクタ）については、論理領域において論理アドレスは割り当てられない。つまり一次欠陥が発生した場合、物理領域上の一次欠陥領域は論理領域上での領域割当てが行われないことになる。また二次欠陥が生じた領域についても論理アドレスは割り当てられず、代わりに交替処理の行われたスペア領域に記録された情報の格納領域に対し、二次欠陥発生直前の領域に割り当てられた論理アドレスに続く論理アドレスが連続的に割り当てられ、交替先の情報格納領域の最後に割り当てられた論理アドレスに続く論理アドレスが二次欠陥の発生領域が終了する直後の領域から連続して割り当てられる。つまり二次欠陥が生じた場合、論理領域では連続した論理アドレスが与えら、見かけ上連続した領域に記録されるように見えるが、実際の物理領域においては記録した情報の一部がスペア領域に分散されて不連続に記録されていることになる。つまり記録時、再生時にはヘッド２の移動、交替先へのアクセス、二次欠陥領域直後へのアクセスが必要となる。
【００１９】
以下、図２、図３に示した記録再生装置において行われる情報の記録動作を図１のフローチャートを用いて説明する。図１において、例えばディスク記録媒体１が記録再生装置に対し差し替え可能なリムーバブル記録媒体の場合、ディスクが記録再生装置に挿入されると、システムコントローラーはヘッド２、ディジタル信号処理回路４に対し制御を行いディスク記録媒体１のリードイン領域にアクセス、再生する。ディスク情報などの再生で図４に示すようなディスク記録媒体であると判断された場合には更にＤＭＡ領域に書き込まれている一次欠陥リスト、二次欠陥リストの読取りを行い一時的に記憶しておく（ステップ１０１）。更にデータ領域の先頭位置から始まる論理領域においてボリューム記述子、管理テーブルを再生することでディスク記録媒体１上に存在するファイルについての情報、未記録領域についての情報を把握する（ステップ１０２）。ディスク記録媒体１に情報を記録する場合、ディスク管理情報から明らかになる論理領域内の記録済み領域に対する先頭の論理アドレスや、未記録領域に対する論理アドレスの情報から、新たな情報の記録領域に対する先頭論理アドレスと記録命令、転送データ量を少なくとも含む転送命令を生成しシステムコントローラ７に設定される。システムコントローラ７は受信した転送命令からその命令内容が記録命令なのか、再生命令なのか、あるいは別の命令なのか判定する（ステップ１０３）、ステップ１０４において転送命令の内容が記録命令であり、更にストリーム情報に対する記録処理の選択を指示する連続記録命令であるかを判定する。連続記録命令については実時間上で連続的に或いは間欠的に伝送されるストリーム情報の記録に適し、記録情報を再生する際の信頼性を重視しない記録処理の選択を行う場合の記録命令である。ステップ１０４で連続記録命令で無い場合は、ステップ１０５に処理を移し転送命令がデータ情報に対する記録処理の選択を指示する非連続記録命令であるかを判定し、非連続記録命令でない場合はステップ１０３に処理を移し次の転送命令の受信を待つ。非連続記録命令については記録情報を再生する際の信頼性を重視するデータ情報の記録に適した記録処理の選択を行う場合の記録命令である。ステップ１０５で非連続記録命令であると判断されたのであれば、ステップ１０６に処理を移し指定された論理アドレスに対応するディスク記録媒体１上の物理アドレスにヘッド２を移動することでアクセスし、そこから指定されたデータ量分の記録を行う。転送される情報の記録中は記録に確保された領域に対し、少なくとも一次欠陥リストに登録されている一次欠陥領域に対しては記録が行われずにスキップされる。また再生時の再生信頼性をさらに高めたい場合には、二次欠陥リストに登録されている二次欠陥領域に対しても記録が行われずにスキップされ記録が行われる。更に指定されたデータ量の記録終了後に、記録を開始した物理アドレスに再度アクセス、再生を行う（ステップ１０７）。
【００２０】
ディジタル信号処理回路４において行われる誤り訂正符号の復号により明らかになるエラーバイト数とシステムコントローラ７に設定され、二次欠陥であると判定される閾値との大小比較を行う（ステップ１０８）。ステップ１０８において、検出したエラーバイト数が閾値以上となった場合は二次欠陥発生と判断され例えば現在再生を行っているゾーンを構成するスペア領域にアクセスし、二次欠陥の発生したエラー領域を含む誤り訂正が完結する範囲内全ての記録データをスペア領域内の空き領域に再記録することで交替処理を行う（ステップ１０９）。場合によっては交替処理でスペア領域に記録されたデータに対し、ステップ１０７からステップ１０９の処理を再度行い、スペア領域に再記録された情報に対するベリファイを行う。記録終了後、ディスク挿入時に読み取った二次欠陥リストに、二次欠陥領域の先頭物理アドレスとスペア領域内の交替領域の先頭物理アドレスそれぞれ登録する（ステップ１１０）。
【００２１】
更新された欠陥リストについては記録再生装置が記録や再生を行っていないアイドル状態の際、或いはディスク取り出しの際にＤＭＡ領域に記録、最新のリストに更新される。ステップ１０４で転送命令の内容が連続記録命令であると判定された場合は、目標の論理アドレスに対する物理アドレスの領域にアクセスし、そこから記録に確保された領域中に存在する少なくとも一次欠陥リストに登録されている一次欠陥領域に対するスキップを行いながら連続的に記録を開始、継続する。また再生時の再生信頼性をさらに高めたい場合には、二次欠陥リストに登録されている二次欠陥領域に対しても記録を行わずにスキップされ記録を継続する（ステップ１１１）。
【００２２】
更にステップ１１２で記録終了命令と判定されない限り、或いは指定された転送データ量の記録に達しない限りは記録を継続し、ステップ１１２において記録終了命令と判定された場合、或いは指定された転送データ量の記録を終了した場合はディスク１への記録を停止する。しかしながら記録停止後は非連続記録命令に従った記録のようにステップ１０７からステップ１１０の処理、つまりベリファイ処理は行わずそのまま記録を終了する。最後に記録再生装置がアイドル状態の際、或いはディスク取り出しの際にディスク記録媒体１上の論理領域において、記録情報に対し新たに発生させるファイルに対するファイル名、ファイル同士の階層構造、先頭論理アドレスの情報を追加し、記録済みの領域に上書きして記録した場合には上書きされたファイルに対する情報を管理テーブル上から削除し、未記録領域に対する記録を行った場合にはマップ情報を更新することで管理テーブルを新たに更新しディスク記録媒体上の所定の領域に再度記録する（ステップ１１３）。管理テーブルを更新し再度記録する際には非連続記録命令によるステップ１０６からステップ１１０における処理が行われ、再生信頼性を重んじた記録が行われる。
【００２３】
上記した連続記録命令は記録開始前に１回のみ発生することに限定されず、記録情報が間欠的に伝送される際に、あるデータ量単位に或いは、ある一定期間の記録終了の後で再度その命令を繰り返し発生し、指定された転送データ量ごとに間欠的な記録が行われる場合もある。この場合も、図１のフローチャートにおけるステップ１０３からステップ１１２の連続記録命令に従った記録動作が繰り返し行われる。
【００２４】
次に図１の記録方法に従い情報の記録が行われた情報記録媒体についての説明を図４を用いて説明する。図４（Ｂ）はディスク記録媒体１に対する論理的な領域において図１のステップ１０４からステップ１１１、ステップ１１２に渡り連続記録命令従ったストリーム情報の記録結果の様子を示しており、例えばストリームファイル１として論理アドレスＩ（Ｉは正の整数）から記録を開始し論理アドレス（Ｊ−１）（Ｊは正の整数）で記録を終了した場合を示してある。更に図１のステップ１０５からステップ１１０における転送データ量が指定された非連続記録命令に従ったデータ情報の記録結果の様子を示しており、例えばストリーム情報の編集データやプログラムデータに相当するデータファイルが論理アドレスＪから（Ｋ−１）まで（Ｋは正の整数）の論理領域、更には論理領域上での記録情報に対するファイル管理、未記録領域の管理を行う管理テーブルに対するデータ情報の格納場所である論理アドレス０から（Ｈ−１）まで（Ｈは正の整数）の論理領域に対し非連続記録を行った場合を示してある。
【００２５】
図４（Ｂ）の論理領域のストリームファイル１の占める領域に対する図４（Ａ）の物理領域は、例えば領域分割されたゾーン１のユーザー領域１の途中からゾーン２のユーザー領域２の途中まで連続的に記録が行われるが、二次欠陥の交替処理に利用されるスペア領域１を含む領域については記録を行わずに不連続な領域に記録が行われている。データファイルについては記録終了後のベリファイにおいて二次欠陥と判定されスペア領域に交替処理を行った結果を示しており、ユーザー領域２に記録されたデータファイル途中に発生した二次欠陥領域がスペア領域２に交替処理されている。管理テーブルについてもデータファイルと同様に二次欠陥発生時にその発生領域そのものがスペア領域に交替処理されている。つまり二次欠陥が発生し交替処理が行われた場合にはファイルの存在する連続領域に対しその途中の二次欠陥領域そのものがスペア領域に記録されることになり結果不連続な記録が行われることになる。つまり再生時には少量のデータ量を再生する際にも二次欠陥領域に対してはヘッド２の移動が必要となり再生時の転送レート低下が著しく現れる。しかしながら非連続記録命令に従い交替処理の行われたファイルはデータファイル、管理テーブルのように転送レートが低下しても構わない情報が記録されているため、転送レートの低下が生じても問題とならない。しかしながら再生時の信頼性が高い記録が行われることになる。ストリームファイルについてはゾーンをまたがる記録、再生の際にはヘッドの移動が伴うが、連続記録命令に従い交替処理が行われないため記録、再生時のディスク記録媒体の転送レート低下が最小に押えられる。しかしながら再生時の信頼性はディスク記録媒体の記録状態に依存し、場合によっては信頼性が低い場合もありうる。
【００２６】
次に図４に示すように同一のディスク記録媒体上に連続記録命令に従って記録されたストリームファイル１と非連続記録命令に従って二次欠陥に対する交替処理が行われたデータファイル或いは、管理テーブルが記録されたディスク記録媒体１に対し図２、図３の記録再生装置において行われる再生動作を図５のフローチャートを用いて説明する。但しステップ５０１からステップ５０３までの処理は図１のステップ１０１からステップ１０３までと同等の処理であり説明を省略する。ステップ５０３の転送命令に対する解析で再生命令と判断され、更にストリーム情報に対する再生処理の選択を指示する連続再生命令であるかをステップ５０４において判定する。連続再生命令については実時間上連続的に或いは間欠的に情報の再生を必要とするストリーム情報の再生に適し、再生信頼性を重視しない再生命令である。ステップ５０４で連続再生命令で無い場合は、ステップ５０５に処理を移し転送命令がデータ情報に対する再生処理の選択を指示する非連続再生命令であるかを判定し、非連続再生命令でない場合はステップ５０３に処理を移し次の転送命令の受信を待つ。非連続再生命令については情報の再生信頼性を重視したデータ情報の再生に適した再生命令である。ステップ５０５で非連続再生命令であると判断されたのであればステップ５０６に処理を移し、指定された論理アドレスに対応するディスク記録媒体１上の物理アドレスへアクセスし、そこから指定されたデータ量分の再生を行う。再生中は一次欠陥リストに存在する初期欠陥領域に対しては再生が行われずにスキップされ、二次欠陥リストに存在する二次欠陥領域に対しては一時的に転送を停止し、交替処理を行ったスペア領域内の記録領域にアクセス、再生後、再度二次欠陥領域より後の領域からアクセス、再生を行い、指定データ量分の記録情報の再生を行う。ステップ５０６の再生途中でディスク記録媒体１に記録する際に付加される誤り訂正符号の持つ訂正能力以上のエラーバイトが発生し訂正不能と判断されたのであれば（ステップ５０７）、訂正不能となった領域に対し再度再生を試行するリトライ処理を行うことになるが、その前にステップ５０８においてリトライ実行回数がシステムコントローラに設定されるリトライ回数制限の閾値との比較を行う。ステップ５０８においてリトライ回数が閾値以上となった場合は再生不能と判定されそのまま再生処理を中止する。
【００２７】
ステップ５０８でリトライ回数の閾値を超えない場合には、訂正不能となった領域、つまり誤り訂正処理の完結する範囲の領域に対する先頭アドレスより再度アクセス、再生を行うことでリトライ処理を行い（ステップ５０９）、ステップ５０７における判定を行う。リトライ処理によりステップ５０７で訂正不能と判断されないのであれば再生をそのまま継続し、指定されたデータ量の再生で処理を終了し、訂正不能と判断されたのであればステップ５０８からのリトライ処理を再度行う。ステップ５０４で転送命令の内容が連続記録命令であると判定された場合は、目標の論理アドレスに対応する物理アドレスに対する領域の先頭にアクセスし、そこから少なくとも一次欠陥リストに登録されている一次欠陥領域に対するスキップを行いながら連続的に再生を行う。また記録時に再生信頼性をさらに高める目的で二次欠陥領域に対してスキップされ記録を行った場合もあるため、二次欠陥リストに登録されている二次欠陥領域に対してもスキップを行いながら連続的に再生を行う場合もある（ステップ５１３）。この場合非連続再生命令とは異なり二次欠陥領域に対してはスキップを行うのみで、一時的な再生の停止、交代領域に対するアクセス、再生は行われない。更にステップ５１４で再生終了命令と判定されない限り、或いは指定されたデータ量の再生に達しない限りは再生を継続し、ステップ５１４において再生終了命令と判定された場合或いは指定されたデータ量の再生を終了した場合、ファイルの終了を検出した場合には再生を停止する。連続再生の場合には非連続再生のようにステップ５０７からステップ５０９の処理つまり訂正不能の検出に
よるリトライ処理は行わず、訂正不能であった場合にでもそのまま再生処理を継続する。またステップ５０２における管理テーブルの再生についてはステップ５０５における非連続再生命令に従い、ステップ５０６からステップ５０９までの再生処理が適応される。以上のように連続再生命令に従い再生されるファイルについてはディスク記録媒体の転送レートの低下を押えた再生が可能となり、非連続再生命令に従い再生されるファイルについてはリトライ動作を行い、更に二次欠陥リストに従い交替先のデータ再生と組み合せて再生を行うことから信頼性の高い再生が可能となる。
【００２８】
上記した連続再生命令は再生開始前に１回のみ発生することに限定されず、あるデータ量単位に、或いはある一定期間ごとの再生終了の後で、再度その再生命令を繰り返し発生し、指定されたデータ量ごとに間欠的な再生が行われる場合もある。この場合についても図５のフローチャートにおけるステップ５０３からステップ５１４の連続再生命令に従った再生動作が繰り返し行われる。
【００２９】
次に図２、３の記録再生装置において図１の記録方法で情報の記録が行われたディスク記録媒体に対し情報の並べ替え方法の一実施例を図６、図７を用いて説明する。図６において（Ａ）はディスク記録媒体１上の物理的な領域分割、構成を示しており、（Ｂ）は物理領域に対する論理的な領域分割、構成を示すと共に映像、音声の圧縮ストリームに対するストリームファイル１とストリームファイル１に含まれる映像、音声情報に対する編集データなどを含むデータファイルが管理される。（Ａ−１）は論理領域に存在するストリームファイル１、データファイルと物理領域との対応を示している。ストリームファイル１については二次欠陥の検出による交替処理を行わず、ゾーン１、２のユーザー領域１、２にまたがり記録された場合を示し、データファイル、管理テーブルについては二次欠陥の検出により各ゾーンのスペア領域に二次欠陥領域に対する交替処理が行われ記録された場合を示してある。（Ａ−２）はデータファイル、管理テーブル、ストリームファイルに対する物理領域上の並べ替え処理を行った結果を示してある。図７は二次欠陥の検出、交替処理を行わずに記録されたストリーム情報の並べ替え方法の一例をフローチャートで示している。
【００３０】
図６におけるストリームファイルについての並べ替え処理を図７のフローチャートを用いて説明する。図７において記録再生装置のシステムコントローラーに対して並べ替え処理実行を指示する命令が設定されると（ステップ７０１）、管理テーブルより明らかになるファイルに対するディスク記録媒体上の記録領域に対しアクセス、再生を開始し（ステップ７０２）、一次欠陥リストに登録されている一次欠陥領域のスキップ、二次欠陥リストに登録されている二次欠陥領域のスキップを行いながら、各ゾーン内での記録情報の再生に対するエラーバイト数の検出と欠陥を判定する閾値との比較でゾーン内における全てのエラー領域を検出する。ゾーンの途中でファイルの切れ目がある場合には、そのゾーンに含まれるファイルの終了までを再生し、閾値との比較でエラー領域の検出を行う（ステップ７０３）。ステップ７０４において各ゾーンに存在する未記録領域、残りのスペア領域から、検出した全てのエラー領域の並べ替えが可能であるか判定を行う。ステップ７０４の判定が不成立であれば、ステップ７０８に処理を移し、欠陥と判定するエラーバイト数の閾値を上げ、欠陥と判定される条件をゆるめ、ステップ７０３において改めて先に検出した全てのエラー領域の検出を判定し直す。ステップ７０４における判定が成立したのであれば、ステップ７０５において各ゾーン内で最初に発見されたエラー領域以降、或いはそのエラー領域を含む誤り訂正処理の完結する領域以降、ゾーン最後までの記録情報を別の一時記憶手段や、ディスク記録媒体上の未記録領域などに一時的に待避する。記録情報の一時待避が終了後、ステップ７０６において各ゾーンごとに検出されたエラー領域、或いはエラー領域を含む誤り訂正処理の完結する領域以外の領域に記録情報の順番に再記録を行うことで並び替えが行われる。最後にステップ７０７において新たに欠陥と判定されたエラー領域に対する物理アドレスを一次欠陥リストに追加、或いはエラー領域を含む誤り訂正処理の完結する領域の先頭物理アドレスを二次欠陥リストに追加、または領域に含まれるすべての物理アドレスを一次欠陥リストに追加し、ディスク記録媒体上のＤＭＡ領域に更新記録される。但し二次欠陥リストに登録する場合には交替先の先頭物理アドレスは登録されない。
【００３１】
図７で説明した方法に従って情報の並べ替えを行った結果の一例を図６で説明する。図６においてストリームファイル１は、今、（Ａ−１）に示すようにディスク記録媒体の物理領域中のユーザ領域１とユーザ領域２に跨り一連のストリーム情報が記録されている。例えばユーザ領域１において図７のステップ７０３における処理でエラー領域が新たに検出されたとする。そうすると（Ａ−２）に示すように検出したエラー領域以降の情報はスペア領域にまで及んで再記録が行われることで並べ替えが行われることになる。更に検出されたエラー領域は一次欠陥リストに登録、或いは二次欠陥リストに登録されることで、連続再生命令に従った再生時にはエラー領域或いは、エラー領域を含む誤り訂正の完結する領域はスキップされることになる。
【００３２】
ストリーム情報については二次欠陥検出による交替処理を行わずに記録されているため、各ゾーンに含まれるスペア領域の利用率は低い。よって以上説明したような各ゾーンの範囲内で並べ替え処理が可能となる。
【００３３】
次にデータファイルや管理テーブルなど二次欠陥の検出による交替処理の行われた記録情報に対する並べ替え処理の実行結果を図６で説明する。図６において二次欠陥の検出による交替処理が行われた管理テーブルについては、二次欠陥リストの内容からその管理テーブルに対する記録領域に含まれる最初の二次欠陥領域より後の記録情報を一時的に待避し、二次欠陥領域より後で交替先の記録情報を再記録、それに続いて一時待避した記録情報を記録する。また情報の記録状態によってはユーザー領域０に未記録領域が存在しないがあり、この場合にはスペア領域に及んで情報の記録が行われ、並び替えを実行することになる。更に二次欠陥リストから二次欠陥であった領域に対する二次欠陥領域、交替領域についての情報を削除しＤＭＡ領域への記録情報を更新、再度記録する。図６において二次欠陥の検出による交替処理が行われたデータファイルについては、ストリームファイル１に対する記録領域とデータファイルの記録領域が同一のユーザ領域２に混在し、ストリームファイル１のユーザ領域２に対する並べ替え処理に必要な領域を十分に確保する目的で、別ゾーンの未記録領域に対するユーザ領域に移動を行うと共に、二次欠陥領域に対する交替領域に含まれる情報に対する並べ替えを行った結果を示してある。移動まえのデータファイルに対する記録領域は未記録領域とされ、ユーザ領域２の記録情報に対する並べ替え処理の実行に利用される。この場合も二次欠陥リストからそれに対する二次欠陥領域、交替領域についての情報を削除することで、ＤＭＡ領域への記録情報を更新、再度記録する。更に管理テーブル上でそのデータファイルに対する論理アドレスの変更、未記録領域に対する管理マップの変更を行い、管理テーブルの更新、記録を行う。
【００３４】
以上図６、図７で説明した並べ替え処理は、その処理の実行の有無を選択でき、必ず行われることに限定されない。実行が選択された場合にはその処理の途中では少なくともディスク記録媒体に対する新たな情報の記録、再生はできないことになる。つまり情報記録再生装置がアイドル状態である場合に並べ替え処理の開始が可能である。
【００３５】
以上説明したディスク記録媒体の物理領域に対し各ゾーンの範囲内で記録情報の並べ替えを行うことでストリーム情報の再生時にはその信頼性を向上させることが可能となる。また記録情報の並べ替えはスペア領域を利用し各ゾーン内部で完結するため、記録情報を一時的に待避するのに必要な一時記憶手段、ディスク記録媒体上の未記録領域の記憶容量を節約可能である。
【００３６】
更に二次欠陥による交替処理が行われたデータ情報に対しても交替領域に含まれる記録情報の並び替えを行い、二次欠陥領域を一次欠陥リストに再登録することで再生時の転送レートの著しい低下を防ぐことができる。更に別の未記録或いは割当て可能なゾーンにそのファイルに含まれる記録情報を移動することで、データ情報とストリーム情報の混在するゾーンにおいてストリーム情報の並べ替え処理の実行が可能となる。
【００３７】
図８は本発明の記録方法の第２の実施例を示すフローチャートであり、図１で説明した記録方法のフローチャートに対して同一の符号をつけ、説明を省略する。更にステップ１０５からステップ１１０までの処理については同一処理のため図中において省略してある。図８においてステップ１０４において連続記録命令と判断されと、ステップ１１１、ステップ１１２の記録処理によって連続記録命令に対する記録がすべて終了した後に、ステップ１１５において記録途中に一次欠陥、二次欠陥リストに登録されていない欠陥が新たに発見されたかを判定する。ステップ１１１における記録では新たな欠陥の発見があった場合にでも、欠陥として扱わずにそのまま継続して記録される。新たな欠陥の発見については、例えばディスク上の物理アドレスが未検出である場合が少なくとも挙げられる。ステップ１１５において記録途中に新たな欠陥が検出された場合は、ステップ１１６においてその欠陥領域を含む誤り訂正処理の完結する領域の先頭物理アドレスのみを二次欠陥リストに登録する。スペア領域に対する交替処理は行われないため、交替先の先頭物理アドレスについては二次欠陥リストに登録されない。またステップ１０５からステップ１１０において行われる非連続記録命令に従った記録処理については、記録途中で新たに欠陥が検出された場合は、欠陥が生じた領域に対するスキップを行い、欠陥領域以降の記録領域に対して記録が継続され、記録終了後に一次欠陥リストに登録される場合や、誤り訂正の完結する単位ごとにベリファイ処理を行いながら、記録途中で新たな欠陥を発見した場合にはスペア領域に対する交替処理を行ったり、或いは欠陥領域を含む誤り訂正処理の完結する領域以降の記録領域に再度記録、二次欠陥リストに欠陥領域の先頭物理アドレスを登録する処理が行われる。
【００３８】
このような記録処理により記録された情報に対する再生方法についても図５に示したフローチャートが適用されるが、連続記録命令で記録された情報を連続再生命令に従い再生する際には、その二次欠陥リストに登録されている二次欠陥領域を無視しスキップせずにそのまま再生を継続する再生処理と、二次欠陥をスキップしてその欠陥領域に対する再生は行わず、スペア領域に対する再生も行われない再生処理のいづれかが選択される。スキップなしの再生処理が選択された場合は、再生情報が映像ストリームである場合は映像の劣化が生じる。スキップありの再生処理が選択された場合は映像の連続性は維持されなくなるが、映像自体の劣化は押さえることができる。
【００３９】
図９は本発明の記録方法の第３の実施例を示すフローチャートであり、図１で説明した記録方法のフローチャートに対して同一の符号をつけ、説明を省略する。更にステップ１０５からステップ１１０までの処理については同一処理のため図中において省略してある。図９においてステップ１０４において連続記録命令と判断されと、ステップ１１１で目標の物理アドレスにアクセスし、記録を開始する。ステップ１１７において記録途中に一次欠陥、二次欠陥リストに登録されていない欠陥が新たに発見されたかを判定する。新たな欠陥の発見については、例えばディスク上の物理アドレスが未検出である場合が少なくとも挙げられる。ステップ１１７において記録途中の新たな欠陥の発見がない場合には、ステップ１１２において記録終了と判定されない限り一次欠陥リスト、場合によっては二次欠陥リストに対するスキップを行いながら記録を継続する。新たなステップ１１７において記録途中に新たな欠陥が検出された場合は、ステップ１１８においてその欠陥領域以降、誤り訂正処理の完結する領域までスキップし、その領域以降の記録領域に対して、新たに検出された欠陥領域以降に記録するはずであった記録情報の記録を再開する。ステップ１１２においてすべての記録が終了した後、ステップ１１９において新たに検出された欠陥領域を含む誤り訂正処理の完結する領域に対する先頭物理アドレスのみを二次欠陥リストに登録する。スペア領域に対する交替処理は行わないため、交替先の先頭物理アドレスについては二次欠陥リストに登録されない。またステップ１０５からステップ１１０において行われる非連続記録命令に従った記録処理については記録方法の第２の実施例で説明した同様の処理が行われる。
【００４０】
このような記録処理により記録された情報に対する再生方法についても図５に示したフローチャートが適用されるが、連続記録命令で記録された情報を連続再生命令に従い再生する際には、その二次欠陥リストに登録されている二次欠陥領域をスキップしてその欠陥領域に対する再生は行わず、スペア領域に対する再生も行わない再生処理が行われる。以上説明した記録方法に従い記録された情報に対する再生を行う場合、二次欠陥リストに登録された欠陥領域に一部の情報が含まれており、例えば記録情報が映像情報の場合は映像の連続性は維持されなくなるが、映像自体の劣化は押さえることができる。
【００４１】
またステップ１１８におけるスキップ処理については、新たに発見された欠陥領域以降、誤り訂正処理の完結する領域までスキップし、その誤り訂正処理の完結する領域にすでに記録済みの情報に対しては、記録再生装置を構成するメモリ５に記録情報が残っている場合に限り、その欠陥領域を含む誤り訂正の完結領域以降において、その領域に記録するはずであった情報の記録をやり直し、更に二次欠陥リストにその欠陥領域を含む誤り訂正の完結領域の先頭物理アドレスを登録する場合もある。この場合記録情報の連続性を維持した記録が可能となり、記録情報が例えば映像情報である場合には、再生映像の連続性を維持することが可能である。
【００４２】
なお以上説明した実施例におけるディスク記録媒体１はリードイン領域、リードアウト領域の存在するリムーバブルディスク記録媒体をその対象として限定し説明してきたが、本発明はそれに限定されず、記録再生装置に固定され一次欠陥、二次欠陥おの管理を行いながら情報の記録、再生を行う磁気ディスク記録媒体に対しても適用される。この場合も連続、非連続記録命令、連続、非連続再生命令に従い図１、図５に示した記録方法、再生方法に対するフローチャートが適用される。
【００４３】
また本発明の対象となるディスク記録媒体は、発生した一次欠陥領域、二次欠陥領域に対するアドレス情報をディスク上の特定の領域、たとえばＤＭＡ領域に書き込むことにより管理するディスク記録媒体に限定されず、例えば一次欠陥の発生した領域、或いはその領域を示すアドレス情報に、欠陥であることを示すためのフラグや、欠陥を示すデータを書き込むことで欠陥管理を行うディスク記録媒体に対しても適用される。
【００４４】
また本発明の対象となるディスク記録媒体は、その物理的な領域が複数のゾーンに分割され、更に各ゾーンにユーザ領域とスペア領域を構成する領域分割に限定されず、例えば全てのスペア領域をディスク記録媒体の最内周あるいは最外周付近に集約した領域分割を採用するディスク記録媒体の記録、再生時にも、本発明の記録方法、再生方法に対するフローチャートが適用される。
【００４５】
また連続記録命令に従って記録され生成されるストリームファイルについての管理情報を管理テーブルに与える際には、非連続記録命令に従って記録されるデータファイルとの識別情報を与えることで再生に必要となる連続再生命令、非連続再生命令の生成が容易になり、ストリームファイル、データファイルそれぞれの再生に再生方法の選択が容易になる。識別情報としては例えばストリームファイルとデータファイルの識別が可能なファイル名、拡張子を管理テーブルに与えることが挙げられる。
【００４６】
【発明の効果】
以上説明したように本発明によると、映像、音声ストリームのような一定時間に一定データ量の記録、再生をディスク記録媒体に対し要求、つまり転送レートの低下を押えることが重要とされ、記録情報に対する再生信頼性については重要とされないストリーム情報と、記録情報の管理テーブルなどディスク記録媒体上の転送レート低下が問題とならず、記録情報の再生信頼性が重要とされるデータ情報をを同一のディスク記録媒体にに記録する際に、連続、非連続記録命令に従って記録後のベリファイ動作、二次欠陥に対する交替処理の実行を制御することで、ストリーム情報に対しては転送レートを重視した記録が行われ、データ情報に対しては再生信頼性を重視した記録を行うことができる。更に本発明の記録方法で記録したディスク記録媒体の再生時には連続、非連続再生命令に従って再生の際のリトライ処理の実行、二次欠陥領域に対する再生を制御することで、ストリーム情報に対しては転送レートを重視した再生が、データ情報に対しては再生信頼性を重視した再生をそれぞれ行うことができる。
【図面の簡単な説明】
【図１】本発明による記録方法の一実施例を示すフローチャート。
【図２】本発明の記録方法、再生方法が適用される記録再生装置の一構成例を示す図。
【図３】本発明の記録方法、再生方法が適用される記録再生装置の別の構成例を示す図。
【図４】本発明の記録方法で記録が行われるディスク記録媒体の一構成例を示す図。
【図５】本発明による再生方法の一実施例を示すフローチャート。
【図６】本発明による記録情報の並べ替えの一実施例を示す図。
【図７】本発明による記録情報の並べ替え方法の一実施例を示すフローチャート。
【図８】本発明による記録方法の第２の実施例を示すフローチャート。
【図９】本発明による記録方法の第３の実施例を示すフローチャート。
【符号の説明】
１…ディスク記録媒体、２…ヘッド、３…プリアンプ、４…ディジタル信号処理回路、５…メモリ、６…インターフェイス回路、７…システムコントローラ、８…外部接続装置、９…映像、音声圧縮回路、１０…映像、音声伸長回路、１１…セレクタ。
【図１】
0003952659.tif 000002
【図２】
0003952659.tif 000003
【図３】
0003952659.tif 000004
【図４】
0003952659.tif 000005
【図５】
0003952659.tif 000006
【図６】
0003952659.tif 000007
【図７】
0003952659.tif 000008
【図８】
0003952659.tif 000009
【図９】
0003952659.tif 000010